(57)【特許請求の範囲】
【請求項１】
吸収体と、
前記吸収体よりも肌側に配置されたカバーシートと、
を備えた吸収性物品であって、
前記カバーシートと前記吸収体とを厚み方向に圧縮して接合する接合溝が形成されており、
前記接合溝は、前記吸収性物品の幅方向中心を幅方向に横断する横断溝であって、排泄口に対向する中央領域と、前記中央領域よりも後側に位置する後方領域とを区分けする横断溝を有しており、
前記中央領域の表面及び前記後方領域の表面には前記接合溝よりも浅いエンボスパターンが形成されており、
前記中央領域のエンボスパターンと、前記後方領域のエンボスパターンとが異なり、
前記中央領域のエンボスパターンは、前記後方領域のエンボスパターンよりも、エンボス痕が密に形成されていることを特徴とする吸収性物品。
【請求項２】
請求項１に記載の吸収性物品であって、
前記吸収性物品の前端側のエンボスパターンと、前記吸収性物品の後端側のエンボスパターンとが共通であることを特徴とする吸収性物品。
【請求項３】
請求項１又は２に記載の吸収性物品であって、
前記接合溝は、前記横断溝を含みつつ前記中央領域を囲む第１接合溝と、前記後方領域を区画するＵ字状の第２接合溝とを有しており、
Ｕ字状の前記第２接合溝の端部と前記第１接合溝との間には、前記接合溝が形成されていない
ことを特徴とする吸収性物品。
【請求項４】
請求項１〜３のいずれかに記載の吸収性物品であって、
前記吸収体は、周囲の領域よりも坪量の低い低部を有しており、
前記横断溝は、前記低部に形成されている
ことを特徴とする吸収性物品。
【請求項５】
請求項１〜４のいずれかに記載の吸収性物品であって、
前記カバーシートよりも肌側に表面シートが配置されており、
前記表面シートに前記エンボスパターンが形成されている
ことを特徴とする吸収性物品。
【請求項６】
請求項５に記載の吸収性物品であって、
前記中央領域を前記幅方向から挟む一対の前記接合溝の内側のみに、前記表面シートが配置されていることを特徴とする吸収性物品。
【請求項７】
請求項５又は６に記載の吸収性物品であって、
前記接合溝は、前記横断溝よりも後側において前記吸収性物品の幅方向中心を幅方向に横断する後方横断溝であって、表面シート、前記カバーシート及び前記吸収体を厚み方向に圧縮して接合する後方横断溝を有しており、
前記後方横断溝が、前記表面シートの前記幅方向の内側に配置されており、
前記後方横断溝の端部より外側の前記表面シートには、前記接合溝が形成されていない
ことを特徴とする吸収性物品。
【請求項８】
請求項１〜７のいずれかに記載の吸収性物品であって、
前記接合溝は、前記横断溝よりも後側において前記吸収性物品の幅方向中心を幅方向に横断する後方横断溝を少なくとも２つ有しており、
前記横断溝と前記後方横断溝との間の前記エンボスパターンと、２つの前記後方横断溝の間の前記エンボスパターンとが異なる
ことを特徴とする吸収性物品。
【請求項９】
請求項１〜８のいずれかに記載の吸収性物品であって、
前記接合溝は、前記横断溝よりも後側において前記吸収性物品の幅方向中心を幅方向に横断する後方横断溝を有しており、
前記後方横断溝の曲率半径は、前記横断溝の曲率半径よりも大きい
ことを特徴とする吸収性物品。
【請求項１０】
請求項１〜９のいずれかに記載の吸収性物品であって、
前記接合溝は、前記横断溝よりも後側において前記吸収性物品の幅方向中心を幅方向に横断する後方横断溝を有しており、
前記後方横断溝が、前記吸収性物品の２つの折り線部の間に位置する
ことを特徴とする吸収性物品。
【請求項１１】
請求項１〜１０のいずれかに記載の吸収性物品であって、
前記エンボスパターンが変化する境界領域と、前記吸収性物品の折り線部とが重複することを特徴とする吸収性物品。
【請求項１２】
請求項１〜１１のいずれかに記載の吸収性物品であって、
前記接合溝は、前記横断溝よりも後側において前記吸収性物品の幅方向中心を幅方向に横断する後方の横断溝を少なくとも２つ有しており、
複数の横断溝の前後方向の間隔が、前記中央領域に近いほど狭いことを特徴とする吸収性物品。
【請求項１３】
請求項１〜１２のいずれかに記載の吸収性物品であって、
前記後方領域に形成される前記エンボスパターンは、前記吸収性物品の幅方向中心に並ぶ複数の菱形模様を形成しており、
前記菱形模様の前記幅方向の対角線は、前後方向の対角線よりも長い
ことを特徴とする吸収性物品。
【請求項１４】
請求項１〜１３のいずれかに記載の吸収性物品であって、
前記後方領域に形成される前記エンボスパターンは、前記吸収性物品の幅方向中心に並ぶ複数の菱形模様を形成しており、
前記複数の菱形模様は、後側ほど大きく形成されている
ことを特徴とする吸収性物品。
【発明の詳細な説明】
【技術分野】
【０００１】
本発明は、吸収性物品に関する。
【背景技術】
【０００２】
人体から排泄される経血などの液体（体液）を吸収する吸収性物品の一例として、生理用ナプキンが挙げられる。このような吸収性物品は、液体を吸収する吸収体と、吸収体よりも肌側に配置されたカバーシートとを備えている。このような吸収性物品には、カバーシートと吸収体とを厚み方向に圧縮して接合する接合溝を形成したものや、カバーシートにエンボスパターンを形成したものなどが知られている（例えば、特許文献１、２参照）。
【先行技術文献】
【特許文献】
【０００３】
【特許文献１】特開２００５−１７７０７８号公報
【特許文献２】特開２００７−１４６３５号公報
【発明の概要】
【発明が解決しようとする課題】
【０００４】
吸収性物品の幅方向中心を幅方向に横断する接合溝（横断溝）を形成し、排泄口に対向する中央領域と、中央領域よりも後側に位置する後方領域とを区分けすることがある。中央領域と後方領域の両方にエンボスパターンを形成する場合には、共通のエンボス加工を施すことによって、中央領域と後方領域に共通のエンボスパターンが形成されることがある。
【０００５】
しかし、中央領域の表面及び後方領域の表面に共通のエンボスパターンを形成してしまうと、エンボスパターンよりも深く視認性の高い接合溝によって中央領域と後方領域が区分けられているにも関わらず、着用者が中央領域と後方領域を識別しにくくなり、この結果、着用者が中央領域と後方領域との機能の違いを把握しにくくなるおそれがある。
【０００６】
本発明は、接合溝（横断溝）で区分けされた中央領域と後方領域の両方にエンボスパターンを形成する際に、中央領域と後方領域とを識別しやすい吸収性物品を提供することを目的とする。
【課題を解決するための手段】
【０００７】
上記目的を達成するための主たる発明は、
吸収体と、
前記吸収体よりも肌側に配置されたカバーシートと、
を備えた吸収性物品であって、
前記カバーシートと前記吸収体とを厚み方向に圧縮して接合する接合溝が形成されており、
前記接合溝は、前記吸収性物品の幅方向中心を幅方向に横断する横断溝であって、排泄口に対向する中央領域と、前記中央領域よりも後側に位置する後方領域とを区分けする横断溝を有しており、
前記中央領域の表面及び前記後方領域の表面には前記接合溝よりも浅いエンボスパターンが形成されており、
前記中央領域のエンボスパターンと、前記後方領域のエンボスパターンとが異なり、
前記中央領域のエンボスパターンは、前記後方領域のエンボスパターンよりも、エンボス痕が密に形成されていることを特徴とする吸収性物品である。
【０００８】
本発明の他の特徴については、本明細書及び添付図面の記載により明らかにする。
【発明の効果】
【０００９】
本発明によれば、接合溝によって区分けされエンボスパターンの形成された中央領域と後方領域を識別しやすくなる。
【図面の簡単な説明】
【００１０】
【図１】図１は、吸収性物品１を表面側から見た展開平面図である。
【図２】図２は、吸収性物品１の分解説明図である。
【図３】図３は、吸収性物品１の斜視図である。
【図４】図４は、吸収体２１におけるパルプの坪量の説明図である。
【図５】図５は、接合溝４０の近傍の断面図である。
【図６】図６は、接合溝４０の説明図である。
【図７】図７は、接合溝４０と吸収体２１との位置関係の説明図である。
【図８】図８Ａ及び図８Ｂは、一対の第２側溝４３Ｂの外側から内側に力を受けたときの参考説明図である。
【図９】図９は、吸収性物品１の幅方向中心を幅方向に横断する複数の接合溝４０の間隔の説明図である。
【図１０】図１０は、吸収性物品１の折り線部の説明図である。
【図１１】図１１Ａ及び図１１Ｂは、後方領域３０ＢのエンボスパターンＰの説明図である。
【図１２】図１２Ａは、第２実施形態の説明図である。図１２Ｂは、第３実施形態の説明図である。図１２Ｃは、第４実施形態の説明図である。
【発明を実施するための形態】
【００１１】
本明細書及び添付図面の記載により、少なくとも以下の事項が明らかとなる。
【００１２】
吸収体と、前記吸収体よりも肌側に配置されたカバーシートと、を備えた吸収性物品であって、前記カバーシートと前記吸収体とを厚み方向に圧縮して接合する接合溝が形成されており、前記接合溝は、前記吸収性物品の幅方向中心を幅方向に横断する横断溝であって、排泄口に対向する中央領域と、前記中央領域よりも後側に位置する後方領域とを区分けする横断溝を有しており、前記中央領域の表面及び前記後方領域の表面には前記接合溝よりも浅いエンボスパターンが形成されており、前記中央領域のエンボスパターンと、前記後方領域のエンボスパターンとが異なることを特徴とする吸収性物品が明らかとなる。
このような吸収性物品によれば、接合溝によって区分けされエンボスパターンの形成された中央領域と後方領域を識別しやすくなる。
【００１３】
前記吸収性物品の前端側のエンボスパターンと、前記吸収性物品の後端側のエンボスパターンとが共通であることが望ましい。これにより、製造が容易になる。
【００１４】
前記中央領域のエンボスパターンは、前記後方領域のエンボスパターンよりも、エンボス痕が密に形成されていることが望ましい。これにより、中央領域における体液の吸収性が向上するとともに、中央領域が視認されやすくなる。また、中央領域の吸収機能が高いことや、後方領域が低剛性であり臀部の形状に合わせて変形しやすいことを、着用者に認識させることができる。
【００１５】
前記接合溝は、前記横断溝を含みつつ前記中央領域を囲む第１接合溝と、前記後方領域を区画するＵ字状の第２接合溝とを有しており、Ｕ字状の前記第２接合溝の端部と前記第１接合溝との間には、前記接合溝が形成されていないことが望ましい。これにより、中央領域と後方領域の変形が連動しないため、液漏れを抑制できる。
【００１６】
前記吸収体は、周囲の領域よりも坪量の低い低部を有しており、前記横断溝は、前記低部に形成されていることが望ましい。これにより、吸収体の圧縮による剛性の増加を抑制でき、吸収性物品のフィット性が向上する。
【００１７】
前記カバーシートよりも肌側に表面シートが配置されており、前記表面シートに前記エンボスパターンが形成されていることが望ましい。これにより、エンボスパターンが明瞭になる。
【００１８】
前記中央領域を前記幅方向から挟む一対の前記接合溝の内側に、前記表面シートが配置されていることが望ましい。これにより、中央領域の視認性が向上する。
【００１９】
前記接合溝は、前記横断溝よりも後側において前記吸収性物品の幅方向中心を幅方向に横断する後方横断溝であって、表面シート、前記カバーシート及び前記吸収体を厚み方向に圧縮して接合する後方横断溝を有しており、前記後方横断溝が、前記表面シートの前記幅方向の内側に配置されており、前記後方横断溝の端部より外側の前記表面シートには、前記接合溝が形成されていないことが望ましい。これにより、クッション性の高い領域が前後方向に連続し、着心地が良くなる。
【００２０】
前記接合溝は、前記横断溝よりも後側において前記吸収性物品の幅方向中心を幅方向に横断する後方横断溝を少なくとも２つ有しており、前記横断溝と前記後方横断溝との間の前記エンボスパターンと、２つの前記後方横断溝の間の前記エンボスパターンとが異なることが望ましい。これにより、前側の後方横断溝が視認されやすくなる。
【００２１】
前記接合溝は、前記横断溝よりも後側において前記吸収性物品の幅方向中心を幅方向に横断する後方横断溝を有しており、前記後方横断溝の曲率半径は、前記横断溝の曲率半径よりも大きいことが望ましい。これにより、着用者の臀部に沿って後方領域が変形しやすくなり、吸収性物品のフィット性が向上する。
【００２２】
前記接合溝は、前記横断溝よりも後側において前記吸収性物品の幅方向中心を幅方向に横断する後方横断溝を有しており、前記後方横断溝が、前記吸収性物品の２つの折り線部の間に位置することが望ましい。これにより、着用者の臀部に沿って後方領域が変形しやすくなり、吸収性物品のフィット性が向上する。
【００２３】
前記エンボスパターンが変化する境界領域と、前記吸収性物品の折り線部とが重複することが望ましい。これにより、エンボスパターンの変化を着用者に認識させやすくなる。
【００２４】
前記吸収性物品の幅方向中心を幅方向に横断する複数の接合溝の前後方向の間隔が、前記中央領域に近いほど狭いことが望ましい。これにより、着用者の臀部に沿って後方領域が変形しやすくなる。
【００２５】
前記後方領域に形成される前記エンボスパターンは、前記吸収性物品の幅方向中心に並ぶ複数の菱形模様を形成しており、前記菱形模様の前記幅方向の対角線は、前後方向の対角線よりも長いことが望ましい。これにより、体液の後側への流れが堰き止められるイメージが増幅され、着用者に安心感を与えることができる。
【００２６】
前記後方領域に形成される前記エンボスパターンは、前記吸収性物品の幅方向中心に並ぶ複数の菱形模様を形成しており、前記複数の菱形模様は、後側ほど大きく形成されていることが望ましい。これにより、後方領域が低剛性であり臀部の形状に合わせて変形しやすいイメージを着用者に与えることができ、着用者に安心感を与えることができる。
【００２７】
＝＝＝第１実施形態＝＝＝
＜吸収性物品１の全体構成＞
図１は、吸収性物品１を表面側から見た展開平面図である。図２は、吸収性物品１の分解説明図である。図３は、吸収性物品１の斜視図である。
【００２８】
吸収性物品１は、着用者の排泄口から排出された体液（例えば経血）を吸収し保持する物品である。本実施形態では、吸収性物品１は、夜用の生理用ナプキンである。但し、吸収性物品１は、昼用の生理用ナプキンでも良いし、紙おむつや失禁パッド等でも良い。
【００２９】
以下の説明では、図１に示すように、前後方向及び左右方向を定義する。すなわち、長尺状の吸収性物品１の長手方向を「前後方向」とし、着用者の前側に位置する方を「前」とし、逆側を「後」とする。長尺状の吸収性物品１の幅方向を「幅方向」又は「左右方向」とし、着用者の右側に位置する方を「右」とし、逆側を「左」とする。また、図２に示すように、前後方向及び幅方向（左右方向）に直交する方向を「厚み方向」とし、吸収性物品１の着用者の肌側を「上」とし、逆側を「下」とする。また、吸収性物品１の着用者の肌側の面（肌に接触する面）を「表面」と呼び、逆側の面を「裏面」と呼ぶことがある。厚み方向は、表面及び裏面の法線方向となる。
【００３０】
吸収性物品１は、図１に示すように、前部３と、股下部５と、後部７とを有する。前部３は、着用者の前側に位置することになる部分である。後部７は、着用者の後側（臀部側、背側）に位置することになる部分である。股下部５は、前部３と後部７との間に位置することになる部分である。
【００３１】
また、吸収性物品１は、中央帯状領域１２と、側縁部１４と、防漏壁１６とを有する。  中央帯状領域１２は、吸収性物品１の幅方向中央部に位置する帯状の領域であり、前部３、股下部５及び後部７にわたって前後方向に沿って構成されている。中央帯状領域１２は、液体を吸収し保持する部位である。中央帯状領域１２は、吸収体２１、カバーシート２２、裏面シート２３及び表面シート２４を有する（図２参照）。中央帯状領域１２には、後述するように、中央領域３０Ａ及び後方領域３０Ｂや、接合溝４０やエンボスパターンＰ（Ｐ１〜Ｐ４）が形成されている。
側縁部１４は、吸収性物品１の幅方向の縁の部位であり、前部３、股下部５及び後部７にわたって構成されている。側縁部１４は、ウイング部１４Ａを有する。ウイング部１４Ａは、下着に巻き込んで下着に吸収性物品１を固定する部位であり、股下部５の左右両側から外側にそれぞれ延出して形成されている。吸収性物品１は後部７に後方ウイング部１４Ｂを有するが、吸収性物品１が後方ウイング部１４Ｂを備えていなくても良い。ウイング部１４Ａを含む側縁部１４は、サイドシート２５及び裏面シート２３を有する（図２参照）。
防漏壁１６は、隙間からの液漏れを防ぐ部位（ギャザー）である。防漏壁１６は、前後方向に沿って中央帯状領域１２の両縁に形成されている。防漏壁１６には前後方向に沿って弾性部材１６Ａが配置されており、弾性部材１６Ａの伸縮性によってギャザーが構成される（図３参照）。防漏壁１６は、サイドシート２５の内側の部位から構成されている（図２参照）。
【００３２】
吸収性物品１は、図２に示すように、吸収体２１、カバーシート２２、裏面シート２３、表面シート２４及びサイドシート２５を有する。
【００３３】
吸収体２１は、液体を吸収し保持する部材である。吸収体２１は、体液を吸収する吸収性材料（例えばパルプ、高吸収ポリマーなど）を包装部材（例えばティッシュペーパー）で包むことによって形成されている。
図４は、吸収体２１におけるパルプの坪量の説明図である。吸収体２１は、低部２１Ａを有する。低部２１Ａは、吸収体２１におけるパルプの坪量の最も少ない部位である。低部２１Ａは、周囲の領域よりも坪量の低い領域となる。
【００３４】
カバーシート２２は、吸収体２１よりも肌側（上側）に配置された液透過性のシート部材である（図２参照）。ここでは、カバーシート２２は、トップシート２２Ａ及びセカンドシート２２Ｂから構成されているが、１枚のシート部材で構成しても良い。カバーシート２２は、例えば不織布から構成される。カバーシート２２は、前部３、股下部５及び後部７にわたって前後方向に沿って配置されており、少なくとも吸収体２１の上側を覆い、中央帯状領域１２を構成する。
カバーシート２２及び吸収体２１は、厚み方向に圧縮（圧搾）して形成された接合溝４０によって、接合されている。接合溝４０については、後述する。
【００３５】
裏面シート２３は、吸収体２１よりも下着側（下側）に配置された液不透過性のシート部材である。裏面シート２３は、例えば不織布から構成される。裏面シート２３は、吸収性物品１の裏面を構成し、中央帯状領域１２及び側縁部１４を構成する。裏面シート２３の下面（下着と接触する面）には、粘着剤（不図示）が塗布されている。吸収性物品１の使用前には、裏面シート２３の下側には、粘着剤を保護する剥離シート（不図示）が設けられている。カバーシート２２と裏面シート２３との間には、吸収体２１が配置されている。
【００３６】
表面シート２４は、カバーシート２２よりも肌側に配置された液透過性のシート部材である。表面シート２４は、中央帯状領域１２の幅方向中央部に位置する帯状の部材であり、前部３、股下部５及び後部７にわたって前後方向に沿って構成されている。表面シート２４は、カバーシート２２に接合されており、表面シート２４及びカバーシート２２にはエンボス加工が施され、エンボスパターンＰ（Ｐ１〜Ｐ４）が形成されている。また、表面シート２４は、接合溝４０によって、カバーシート２２及び吸収体２１に接合されている。エンボスパターンＰや接合溝４０については、後述する。
【００３７】
サイドシート２５は、カバーシート２２の左右両側に位置するシート状の部材である。サイドシート２５は、ウイング部１４Ａを含む側縁部１４と防漏壁１６とを構成する。なお、カバーシート２２、裏面シート２３及びサイドシート２５の周縁が接合されることによって、吸収体２１が内封されている。
【００３８】
＜接合溝４０（圧搾溝）について＞
図５は、接合溝４０の近傍の断面図である。
接合溝４０は、カバーシート２２と吸収体２１とを厚み方向に圧縮（圧搾）して接合する溝状の部位である。接合溝４０は、圧搾溝やヒンジ部などと称されることもある。
【００３９】
接合溝４０の近傍では、吸収体２１が密になり、毛管現象により液体の吸収性・保持性が高い。このため、吸収体２１に吸収された体液が接合溝４０を横切るように流れることは抑制される。一方、接合溝４０の近傍では、吸収体２１が圧縮されているため、剛性が高い。このため、吸収体２１の設けられた部位のクッション性は、接合溝４０のある部位よりも、接合溝４０の無い部位の方が高い。なお、表面シート２４のある位置に接合溝４０が形成されると、カバーシート２２及び吸収体２１だけでなく表面シート２４も圧縮されているため、剛性が高くなる。
接合溝４０の形成部位では剛性が高いため、接合溝４０の溝方向に沿って力がかかる場合には、吸収性物品１は変形しにくい。一方、接合溝４０に垂直な方向から接合溝４０に向かう力がかかると、接合溝４０を支点として吸収性物品１が折れ曲がりやすくなる。
【００４０】
接合溝４０は、吸収体２１を厚み方向に圧縮して形成されるため、後述するエンボスパターンＰよりも深い凹部（溝）になる。このため、接合溝４０は、エンボスパターンＰよりも視認されやすい。
【００４１】
図６は、接合溝４０の説明図である。図７は、接合溝４０と吸収体２１との位置関係の説明図である。以下、図６及び図７とともに図１も参照しながら、接合溝４０について説明する。
【００４２】
接合溝４０は、横断溝４２Ａを有している。横断溝４２Ａは、吸収性物品１の幅方向中心を幅方向に横断する接合溝４０であり、中央領域３０Ａと後方領域３０Ｂとを区分けしている。中央領域３０Ａ及び後方領域３０Ｂは、どちらも中央帯状領域１２の幅方向中央部に位置し、前後方向に延びた領域である。中央領域３０Ａは、横断溝４２Ａの前側の領域であり、少なくとも一部が排泄口（例えば膣口）に対向する領域であり、排泄口から排泄される体液（例えば経血）を吸収する領域である。後方領域３０Ｂは、横断溝４２Ａの後側の領域であり、中央領域３０Ａよりも後側に位置する。後方領域３０Ｂは、着用者の臀部に対向する領域であり、中央領域３０Ａよりも後方で体液を吸収する領域である。
【００４３】
中央領域３０Ａは、多量の体液を吸収し保持する機能が求められる領域である。一方、後方領域３０Ｂは、中央領域３０Ａほどの体液の吸収性や保持性は要求されないが、臀部と対向する位置で体液を吸収する機能が求められるため、着用者の臀部の形状に適合する機能が求められる領域である（臀部とのフィット性が求められる領域である）。なお、後方領域３０Ｂは、着用者の臀部に沿って変形することによって、体液が着用者の臀裂（左右の臀部の中央の縦溝）を伝って中央領域３０Ａよりも後方に流れたときに、その体液を吸収できることが望ましい。
【００４４】
横断溝４２Ａは、吸収体２１の低部２１Ａに形成されている（図７参照）。低部２１Ａは、周囲の領域よりも坪量の低い領域であるため、低部２１Ａに横断溝４２Ａを形成すれば、吸収体２１の圧縮による剛性の増加を抑制でき、吸収性物品１のフィット性（肌との接触性）が向上する。特に、横断溝４２Ａは中央領域３０Ａと後方領域３０Ｂの境界に形成されるため、横断溝４２Ａの近傍における剛性を抑制することによって、中央領域３０Ａ及び後方領域３０Ｂが肌と接触しやすくなり、液体の吸収性が向上する。また、本実施形態のように幅方向中心に表面シート２４がある場合、横断溝４２Ａによって表面シート２４も圧縮されて剛性が増加しやすいため、吸収体２１の低部２１Ａに横断溝４２Ａを形成することは特に有利である。
【００４５】
接合溝４０は、第１接合溝４１Ａ及び第２接合溝４１Ｂを有する。中央領域３０Ａと後方領域３０Ｂとを区分けする横断溝４２Ａは、第１接合溝４１Ａに含まれている。
【００４６】
第１接合溝４１Ａは、排泄口に対向する中央領域３０Ａを区画する接合溝４０である。ここでは、第１接合溝４１Ａは、中央領域３０Ａを包囲するように形成されている。これにより、排泄口から排泄された体液（例えば経血）が中央領域３０Ａの外部に漏洩しにくくなる。
【００４７】
第１接合溝４１Ａは、上記の横断溝４２Ａとともに、一対の第１側溝４３Ａと、前端横断溝４４Ａとを有する。第１側溝４３Ａは、中央領域３０Ａの左右の縁を区画する接合溝４０であり、一対の第１側溝４３Ａは、中央領域３０Ａを幅方向から挟む接合溝４０である。第１側溝４３Ａは、前後方向に沿って形成されている。一対の第１側溝４３Ａの後端は横断溝４２Ａと連結している。これにより、中央領域３０Ａから後側へ体液が漏洩しにくくなる。前端横断溝４４Ａは、中央領域３０Ａの前縁を区画する接合溝４０であり、吸収性物品１の幅方向中心を幅方向に横断する接合溝４０である。一対の第１側溝４３Ａの前端と前端横断溝４４Ａとが連結しているため、中央領域３０Ａから前側へ体液が漏洩しにくくなる。
【００４８】
第１接合溝４１Ａの内側（中央領域３０Ａ）には、更に前方横断溝４５Ａが形成されている。前方横断溝４５Ａは、中央領域３０Ａの前方に設けられ、吸収性物品１の幅方向中心を幅方向に横断する接合溝４０である。前方横断溝４５Ａは、前端横断溝４４Ａとは異なり、第１側溝４３Ａとは連結していない。前方横断溝４５Ａが設けられることによって、体液が前端横断溝４４Ａまで達しにくくなるため、中央領域３０Ａから前側へ体液が漏洩しにくくなる。
【００４９】
第２接合溝４１Ｂは、中央領域３０Ａよりも後側に位置する後方領域３０Ｂを区画するＵ字状の接合溝４０である。Ｕ字状の第２接合溝４１Ｂの左右の端部（前端）は、第１接合溝４１Ａの横断溝４２Ａを左右から挟むように配置されている。これにより、横断溝４２Ａを越えて後側に流れた液体は、Ｕ字状の第２接合溝４１Ｂの左右の端部の間から後方領域３０Ｂに入り込むため、第２接合溝４１Ｂによって外部に漏洩しにくくなる。
【００５０】
Ｕ字形状の第２接合溝４１Ｂの左右の端部（第２側溝４３Ｂの前端）と第１接合溝４１Ａとの間には、接合溝４０が形成されていない。このため、第１接合溝４１Ａと第２接合溝４１Ｂとの間の剛性が低い状態になる。これにより、吸収性物品１の中央領域３０Ａ及び後方領域３０Ｂの変形が連動しないため、吸収性物品１の中央領域３０Ａ及び後方領域３０Ｂが、それぞれ独立して、着用者の臀部の形状や動きに合わせて変形できるので、液漏れを抑制できる。
【００５１】
第２接合溝４１Ｂは、一対の第２側溝４３Ｂと、後端横断溝４４Ｂとを有する。第２側溝４３Ｂは、後方領域３０Ｂの左右の縁を区画する接合溝４０であり、一対の第２側溝４３Ｂは、後方領域３０Ｂを幅方向から挟む接合溝４０である。第２側溝４３Ｂは、前後方向に沿って形成されている。後端横断溝４４Ｂは、後方領域３０Ｂの後縁を区画する接合溝４０であり、吸収性物品１の幅方向中心を幅方向に横断する接合溝４０である。一対の第２側溝４３Ｂの後端は後端横断溝４４Ｂと連結している。これにより、後方領域３０Ｂから後側へ体液が漏洩しにくくなる。
【００５２】
一対の第２側溝４３Ｂの内側（後方領域３０Ｂ）には、更に２つの後方横断溝４５Ｂが形成されている。後方横断溝４５Ｂは、横断溝４２Ａよりも後側において吸収性物品１の幅方向中心を幅方向に横断する接合溝４０である。後方横断溝４５Ｂは、後端横断溝４４Ｂとは異なり、第２側溝４３Ｂとは連結していない。後方横断溝４５Ｂが設けられることによって、体液が後端横断溝４４Ｂまで達しにくくなるため、後方領域３０Ｂから後側へ体液が漏洩しにくくなる。
【００５３】
一対の第２側溝４３Ｂには左右方向に凹凸が形成されており、この結果、一対の第２側溝４３Ｂの間隔に広狭が形成され、後方領域３０Ｂの幅に広狭が形成されている。そして、一対の第２側溝４３Ｂの間隔の狭い部位の近傍（間隔の広い部位よりも狭い部位の近く）に、後方横断溝４５Ｂが形成されている。この理由を次に説明する。
【００５４】
図８Ａ及び図８Ｂは、一対の第２側溝４３Ｂの外側から内側に力を受けたときの参考説明図である。第２側溝４３Ｂは、図中の紙面垂直方向（前後方向）に沿って形成されている。
吸収性物品１は、着用者の股下や左右の臀部により、図８Ａの矢印に示すように左右両側から内側に向かう力を受けやすい。このような力を受けると、第２側溝４３Ｂを支点として第２側溝４３Ｂの内側と外側との間が折れ曲がる。この結果、図８Ｂに示すように後方領域３０Ｂが上に盛り上がり、第２側溝４３Ｂの上側（肌側）に深い谷間が形成されるおそれがある（図８Ｂの矢印参照）。このような深い谷間が形成されてしまうと、着用者の臀部との間に大きな隙間が形成されてしまい、液漏れの原因になるおそれがある。
特に本実施形態のように一対の第２側溝４３Ｂの間隔に広狭がある場合には、一対の第２側溝４３Ｂの間隔の狭い部分に力が集中する。このため、一対の第２側溝４３Ｂの間隔の狭い部分では、特に深い谷間が形成されやすい。
そこで、本実施形態では、一対の第２側溝４３Ｂの間隔の狭い部位の近傍（間隔の広い部位よりも狭い部位の近く）に後方横断溝４５Ｂを形成している。後方横断溝４５Ｂは、吸収性物品１の幅方向中心を幅方向に横断して形成されているため、左右両側から内側に向かう力（後方横断溝４５Ｂの溝方向に沿った力）を受けても、後方横断溝４５Ｂの剛性によって後方領域３０Ｂが上に盛り上がるように変形することが抑制される。これにより、図８Ｂの矢印に示すような深い谷間が形成されにくくなり、液漏れを抑制できる。
【００５５】
後方横断溝４５Ｂは、表面シート２４の幅方向の内側に配置されている。また、後方横断溝４５Ｂは第２側溝４３Ｂとは連結していないため、後方横断溝４５Ｂの左右の端部より外側の表面シート２４には接合溝４０が形成されていない。このため、本実施形態では、後方横断溝４５Ｂと第２側溝４３Ｂとの間には、圧縮されていない表面シート２４（及び吸収体２１）が残っている。これにより、後方横断溝４５Ｂと第２側溝４３Ｂとの間にクッション性の高い部位が残るため、この部位を含むクッション性の高い領域が前後方向に連続し、着心地が良くなる。なお、仮に後方横断溝４５Ｂが第２側溝４３Ｂと連結していると、剛性が高くクッション性の低い後方横断溝４５Ｂによってクッション性の高い領域が分割されてしまうため、後方横断溝４５Ｂの前後で感触の差が大きくなり、着心地が悪くなってしまう。
【００５６】
後方横断溝４５Ｂ及び横断溝４２Ａは、いずれも吸収性物品１の幅方向中心において後側に凸に湾曲している。横断溝４２Ａは、Ｕ字状の第２接合溝４１Ｂの左右の端部（前端）の間に挟まれて配置されるため、湾曲が急である。これに対し、後方横断溝４５Ｂは、横断溝４２Ａよりも、湾曲が緩やかである。つまり、本実施形態では、後方横断溝４５Ｂの曲率半径は、横断溝４２Ａの曲率半径よりも大きい。これにより、後方横断溝４５Ｂを支点として吸収性物品１が折れ曲がりやすくなるため、着用者の臀部に沿って後方領域３０Ｂが変形しやすくなり、吸収性物品１のフィット性が向上する。
【００５７】
図９は、吸収性物品１の幅方向中心を幅方向に横断する複数の接合溝４０（横断溝４２Ａ、２つの後方横断溝４５Ｂ及び後端横断溝４４Ｂ）の間隔の説明図である。横断溝４２Ａと前側の後方横断溝４５Ｂとの間隔をＬ１とし、２つの後方横断溝４５Ｂの間隔をＬ２とし、後側の後方横断溝４５Ｂと後端横断溝４４Ｂとの間隔をＬ３とすると、Ｌ１＜Ｌ２＜Ｌ３の関係になっている。すなわち、吸収性物品１の幅方向中心を幅方向に横断する複数の接合溝４０の前後方向の間隔は、中央領域３０Ａに近い前側ほど狭く、後側ほど広くなっている。これにより、後方領域３０Ｂは、股下部５（図１参照）に近い部位ほど、屈曲しやすくなる。一般的に、着用者の臀部は、大腿部に近い部位ほど湾曲が急であり、腰部に近い部位ほど湾曲が緩やかであるため、吸収性物品１の幅方向中心を幅方向に横断する接合溝４０の間隔を前側ほど狭く、後側ほど広くすることによって、着用者の臀部に沿って後方領域３０Ｂが変形しやすくなる。
【００５８】
図１０は、吸収性物品１の折り線部の説明図である。
折り線部とは、吸収性物品１の折れ曲がった領域である。吸収性物品１は厚みがあるため、折り線部は、前後方向に幅を持つ領域になるが、図中には、折り線部の中心位置が示されている。ここでは、３つの折り線部を前側から順に「前方折り線部５１」、「中央折り線部５２」及び「後方折り線部５３」と呼ぶ。
吸収性物品１は、幅方向の複数の折り線部で谷折りされることによって、折り畳まれた状態で包装されている。図３に示すように、吸収性物品１を包装から解いて開いても、折り線部における屈曲は残留する。
【００５９】
本実施形態では、２つの後方横断溝４５Ｂのうちの前側の後方横断溝４５Ｂが、中央折り線部５２と後方折り線部５３との間に位置している。このため、図３に示すように、吸収性物品１を開いたとき、中央折り線部５２及び後方折り線部５３の屈曲部分の間の平板状の領域に、前側の後方横断溝４５Ｂが位置する。これにより、吸収性物品１が着用されるとき、中央折り線部５２及び後方折り線部５３の屈曲部分の間の平板状の領域が着用者の臀部に接触し、臀部からの力によって後方横断溝４５Ｂを支点として後方横断溝４５Ｂの前後が折れ曲がり、後方領域３０Ｂが着用者の臀部に沿って変形することになる。仮に中央折り線部５２及び後方折り線部５３の間に後方横断溝４５Ｂが無い場合、中央折り線部５２及び後方折り線部５３の屈曲部分の間の平板状の領域が曲がりにくくなり、後方領域３０Ｂが着用者の臀部に沿って変形しにくくなる。したがって、前側の後方横断溝４５Ｂが中央折り線部５２と後方折り線部５３との間に位置することによって、着用者の臀部に沿って後方領域３０Ｂが変形しやすくなり、この結果、吸収性物品１のフィット性が向上する。
【００６０】
なお、中央折り線部５２と後方折り線部５３との間の後方横断溝４５Ｂは１つであるが、複数にしても良い。但し、後方横断溝４５Ｂの数が増え過ぎると吸収性物品１の剛性が高くなってしまうため、中央折り線部５２と後方折り線部５３との間隔に応じて後方横断溝４５Ｂは１〜３箇所程度にすることが望ましい。
【００６１】
＜エンボスパターンＰについて＞
エンボスパターンＰ（図１のＰ１〜Ｐ４参照）は、エンボス加工によって形成されたエンボス痕のパターンである。本実施形態では、エンボスパターンＰは、表面シート２４及びカバーシート２２にエンボス加工を施すことによって、形成されている（図１、図２参照）。接合溝４０は吸収体２１を厚み方向に圧縮（圧搾）させて形成されるのに対し、エンボスパターンＰは吸収体２１を含まずにエンボス加工により形成されるため（図２参照）、エンボスパターンＰは、接合溝４０よりも浅い加工痕となる。
【００６２】
エンボスパターンＰの形成された領域では、吸収体２１上の嵩（表面シート２４及びカバーシート２２の厚み）が狭まるため、体液が吸収体２１に浸透しやすくなるとともに、エンボス痕では圧縮により密度が増すため、賦形性が向上する。このため、中央領域３０Ａ及び後方領域３０Ｂの両方にエンボスパターンＰを形成することが望ましい。
但し、中央領域３０Ａの表面及び後方領域３０Ｂの表面に共通のエンボスパターンＰを形成してしまうと、エンボスパターンＰよりも深い接合溝４０（エンボスパターンＰよりも視認性の高い接合溝４０）によって中央領域３０Ａと後方領域３０Ｂが区分けられているにも関わらず、着用者が中央領域３０Ａと後方領域３０Ｂとを識別しにくくなってしまう。
そこで、本実施形態では、中央領域３０ＡのエンボスパターンＰ（具体的には、中央パターンＰ２）と後方領域３０ＢのエンボスパターンＰ（具体的には、第１後方パターンＰ３及び第２後方パターンＰ４）とを異ならせている。これにより、中央領域３０Ａの表面及び後方領域３０Ｂの表面に共通のエンボスパターンＰを形成した場合と比べて、中央領域３０Ａと後方領域３０Ｂとを識別しやすくなり、着用者は、中央領域３０Ａと後方領域３０Ｂとの機能の違いを把握した上で吸収性物品１を着用しやすくなる。
【００６３】
なお、エンボス痕の配置が異なる場合、エンボスパターンＰが異なることになる。また、エンボス痕の形状や大きさが異なる場合も、エンボスパターンＰが異なることになる。本実施形態では、エンボス痕がドット形状であるが、エンボス痕が他の形状（例えば線形状）であっても良い。
【００６４】
図１に示すように、エンボスパターンＰは、前から順に、端部パターンＰ１、中央パターンＰ２、第１後方パターンＰ３、第２後方パターンＰ４、端部パターンＰ１を有する。各パターンの間には、パターンが徐々に変化する境界領域が存在する。
【００６５】
端部パターンＰ１は、吸収性物品１の前端側及び後端側に形成されるエンボスパターンＰである。吸収性物品１の前端側のエンボスパターンＰと、後側のエンボスパターンＰとが共通である。これにより、基材の前後方向に連続的に吸収性物品１を形成しつつ、吸収性物品１の外縁をカットして吸収性物品１を製造する際に、基材上で隣接する吸収性物品１の端部パターンＰ１を共通のエンボス加工によって形成できるため、製造が容易になる。
【００６６】
中央パターンＰ２は、主に中央領域３０Ａに形成されるエンボスパターンＰである。中央パターンＰ２は、他のエンボスパターンＰよりも、エンボス痕の数が密に形成されている。ここで、「エンボス痕の数が密」とは、単位面積当たりのエンボス痕の数が多いことを意味する。中央パターンＰ２のエンボス痕が密に形成されることによって、中央領域３０Ａに形成されるエンボスパターンＰは、後方領域３０ＢのエンボスパターンＰよりもエンボス痕（エンボス）の数が密に形成されることになる。
【００６７】
中央領域３０Ａのエンボス痕の数が密になることによって、中央領域３０Ａにおける吸収体２１上の嵩（表面シート２４及びカバーシート２２の厚み）が狭まり、中央領域３０Ａにおける体液の吸収性が向上する。また、中央領域３０Ａのエンボス痕の数が密になることによって、中央領域３０ＡのエンボスパターンＰが視認されやすくなり、中央領域３０Ａが視認されやすくなる。また、中央領域３０Ａのエンボス痕の数が密になることによって、中央領域３０Ａの吸収機能が高いことを着用者に認識させることができるため、中央領域３０Ａに排泄口を対向させるように着用者を誘導できる。なお、２つのエンボスパターンＰを比較したときに、仮に単位面積当たりのエンボス痕の「面積」が同じ場合であっても、単位面積当たりのエンボス痕の「数」の多い方が、体液の吸収性が高く、エンボスパターンＰの視認性が良い。
逆に、後方領域３０ＢのエンボスパターンＰは、中央領域３０ＡのエンボスパターンＰよりもエンボス痕（エンボス）の数が粗になる。これにより、後方領域３０Ｂの表面シート２４及びカバーシート２２の剛性が低くなるため、後方領域３０Ｂが、着用者の臀部の形状に合わせて変形しやすくなる。また、後方領域３０Ｂのエンボス痕の数が粗になることによって、後方領域３０Ｂが低剛性であり臀部の形状に合わせて変形しやすいことを着用者に認識させることができる。
【００６８】
第１後方パターンＰ３は、横断溝４２Ａと、前側の後方横断溝４５Ｂとの間に形成されるエンボスパターンＰである。第２後方パターンＰ４は、２つの後方横断溝４５Ｂの間に形成されるエンボスパターンＰである。第１後方パターンＰ３と第２後方パターンＰ４は、異なるエンボスパターンＰになっている。これにより、第１後方パターンＰ３と第２後方パターンＰ４の間にある前側の後方横断溝４５Ｂが視認されやすくなる。また、前側の後方横断溝４５Ｂが視認されることによって、着用者は、中央領域３０Ａの後側の後方領域３０Ｂに機能の異なる部位が存在することを認識できるので、後漏れの不安を低減させることができ、着用者に安心感を与えることができる。
【００６９】
加えて、第２後方パターンＰ４は第１後方パターンＰ３よりもエンボス痕が粗に形成されている。つまり、中央領域３０Ａから後側の領域ほど、エンボスパターンＰのエンボス痕が徐々に粗になる。このようにエンボスパターンＰが形成されていることを着用者が視認することによって、後方領域３０Ｂが低剛性であり臀部の形状に合わせて変形しやすいことを着用者に認識させやすくなる。
【００７０】
本実施形態では、カバーシート２２よりも肌側に表面シート２４が配置されており、表面シート２４にエンボスパターンＰが形成されている。表面シート２４上にエンボス痕を形成することによって、エンボス痕の深さが増し、陰影による立体感が視認されやすくなるため、エンボスパターンＰ（及びエンボスパターンＰの変化）が明瞭になる。仮に表面シート２４を設けずにカバーシート２２にエンボスパターンＰを形成した場合には、エンボス痕が不明瞭になり、エンボスパターンＰが視認されにくくなる。
【００７１】
また、本実施形態では、中央領域３０Ａを幅方向から挟む一対の第１側溝４３Ａ（接合溝４０）の内側に、表面シート２４が配置されている。これにより、明瞭に視認されるエンボス痕（表面シート２４上のエンボス痕）は、一対の第１側溝４３Ａの内側だけに配置されるため、エンボスパターンによって第１側溝４３Ａ（接合溝４０）の視認性が妨げられずに済むので、第１側溝４３Ａによって区画された中央領域３０Ａの視認性が向上する。仮に一対の第１側溝４３Ａよりも幅広に表面シート２４を配置して、一対の第１側溝４３Ａよりも幅広にエンボスパターンＰを形成してしまうと、エンボスパターンＰよりも深い第１側溝４３Ａ（エンボスパターンＰよりも視認性の高い第１側溝４３Ａ）によって中央領域３０Ａの左右の縁が区画されているにも関わらず、第１側溝４３Ａによる中央領域３０Ａの左右の縁が視認されにくくなってしまい、中央領域３０Ａの視認性が低下してしまう。
【００７２】
図１０に示すように、本実施形態では、中央パターンＰ２と第１後方パターンＰ３との境界領域と、吸収性物品１の中央折り線部５２とが重複している。また、第２後方パターンＰ４と端部パターンＰ１との境界領域と、吸収性物品１の後方折り線部５３とが重複している。このように、エンボスパターンＰの変化する境界領域と折り線部とを重複させることによって、図３に示すように折り線部の屈曲が残留するために折り線部の前後の領域が異なる角度で見えるため、エンボスパターンＰの変化を着用者に認識させやすくなる。
【００７３】
図１１Ａ及び図１１Ｂは、後方領域３０ＢのエンボスパターンＰの説明図である。第１後方パターンＰ３及び第２後方パターンＰ４は、菱形模様を形成するようにエンボス痕が配置されている（図１も参照）。図１１Ａでは、一部のエンボス痕同士を実線で結ぶことによって、吸収性物品１の幅方向中心に並ぶ複数の菱形模様を実線で示している。図１１Ｂでは、菱形模様の後側の２辺を実線で示している。
【００７４】
図１１Ａに示すように、菱形模様は、幅方向の対角線が前後方向の対角線よりも長いような形状である。このため、図１１Ｂに示すように、菱形模様の後側の２辺は、吸収性物品１の幅方向中心で鈍角を構成するように、形成されている。このように、吸収性物品１の幅方向中心で鈍角を形成する２辺を構成するようにエンボス痕を配置することによって、体液の後側への流れが堰き止められるイメージを着用者に与えることができ、着用者に安心感を与えることができる。
さらに、複数の菱形模様が前後方向に並んでいるため、図１１Ｂに示すように、鈍角で交差する２辺が前後方向に複数並んで配置されることになる。これにより、体液の後側への流れが堰き止められるイメージが増幅され、より大きな安心感を着用者に与えることができる。
【００７５】
なお、菱形模様を形成するエンボス痕は、円形状のドットではなく、菱形模様の辺方向に延びたドットである。これにより、着用者が、菱形模様を構成する辺を認識しやすくなる。
また、後側に凸に湾曲した後方横断溝４５Ｂが、菱形模様とともに吸収性物品１の幅方向中心に形成されている。これにより、着用者が、菱形模様を構成する４辺のうち、後側に凸となっている２辺（図１１Ｂで実線で示す２辺）を特に認識しやすくなる。
【００７６】
また、図１１Ａに示すように、吸収性物品１の幅方向中心に並ぶ複数の菱形模様は、後側ほど大きく形成されている。これにより、中央領域３０Ａから後側の領域ほどエンボスパターンＰのエンボス痕が徐々に粗になっていることを、着用者が視認しやすくなる。また、これにより、後方領域３０Ｂが低剛性であり臀部の形状に合わせて変形しやすいイメージを着用者に与えることができ、着用者に安心感を与えることができる。
【００７７】
＝＝＝別の実施形態＝＝＝
図１２Ａは、第２実施形態の説明図である。第２実施形態では、後方領域３０Ｂに後方横断溝４５Ｂが形成されていない。
図１２Ｂは、第３実施形態の説明図である。第１、第２実施形態では、横断溝４２Ａが中央パターンＰ２と第１後方パターンＰ３との境界領域に位置していたが、第３実施形態では、中央パターンＰ２が後方領域３０Ｂにも形成されており、中央パターンＰ２と第１後方パターンＰ３との境界領域が横断溝４２Ａよりも後側に位置する。
図１２Ｃは、第４実施形態の説明図である。第４実施形態では、第１実施形態とは逆に、後方領域３０ＢのエンボスパターンＰは、中央領域３０Ａに形成されるエンボスパターンＰよりもエンボス痕（エンボス）の数が密に形成されている。
【００７８】
第２〜第４実施形態においても、第１実施形態と同様に、中央領域３０ＡのエンボスパターンＰと後方領域３０ＢのエンボスパターンＰとが異なる。このため、中央領域３０Ａの表面及び後方領域３０Ｂの表面に共通のエンボスパターンＰを形成した場合と比べて、着用者が中央領域３０Ａと後方領域３０Ｂとを識別しやすくなる。なお、第４実施形態では、後方領域３０Ｂの吸収機能が高いことを着用者に認識させることができるため、着用者の臀裂（左右の臀部の中央の縦溝）を伝って後方に流れる体液を後方領域３０Ｂで吸収できることを着用者に認識させることができ、着用者に安心感を与えることができる。
【００７９】
なお、上記の第１〜第４実施形態のエンボスパターンＰは、表面シート２４及びカバーシート２２に形成されていた（図２参照）。但し、表面シート２４のみにエンボスパターンＰを形成することも可能である。
また、上記の第１〜第４実施形態の吸収性物品１は、カバーシート２２の上側（肌側）に表面シート２４を備えていた。但し、吸収性物品１は、表面シート２４を備えていなくても良い。表面シート２４が無くても、中央領域３０ＡのエンボスパターンＰと後方領域３０ＢのエンボスパターンＰとが異なっていれば、中央領域３０Ａと後方領域３０Ｂとを識別しやすくなるという効果を得ることができる。
【００８０】
上記の説明では、中央領域３０Ａは、第１接合溝４１Ａによって周囲を包囲されていたが、第２接合溝４１ＢのようにＵ字状の接合溝４０によって区画されても良い。逆に、後方領域３０Ｂは、Ｕ字状の第２接合溝４１Ｂによって区画されていたが、接合溝４０によって周囲を包囲されても良い。中央領域３０Ａと後方領域３０Ｂが横断溝４２Ａによって区分けられていれば、中央領域３０Ａや後方領域３０Ｂを区画する接合溝４０は、他の形状でも良い。
【００８１】
＝＝＝その他＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００８２】
１  吸収性物品、３  前部、５  股下部、７  後部、
１２  中央帯状領域、１４  側縁部、
１４Ａ  ウイング部、１４Ｂ  後方ウイング部、
１６  防漏壁、１６Ａ  弾性部材、
２１  吸収体、２１Ａ  低部、
２２  カバーシート、２２Ａ  トップシート、２２Ｂ  セカンドシート、
２３  裏面シート、２４  表面シート、２５  サイドシート、
３０Ａ  中央領域、３０Ｂ  後方領域、
４０  接合溝、４１Ａ  第１接合溝、
４２Ａ  横断溝、４３Ａ  第１側溝、
４４Ａ  前端横断溝、４５Ａ  前方横断溝、
４１Ｂ  第２接合溝、４３Ｂ  第２側溝、
４４Ｂ  後端横断溝、４５Ｂ  後方横断溝、
５０  折れ線部、５１  前方折れ線部、
５２  中央折れ線部、５３  後方折れ線部
Ｐ  エンボスパターン、Ｐ１  端部パターン、
Ｐ２  中央パターン、Ｐ３  第１後方パターン、
Ｐ４  第２後方パターン
【要約】
【課題】中央領域及び後方領域に共通のエンボスパターンを形成してしまうと、エンボスパターンよりも深く視認性の高い接合溝によって中央領域と後方領域が区分けられているにも関わらず、着用者が中央領域と後方領域を識別しにくくなる。
【解決手段】本発明は、吸収体と、前記吸収体よりも肌側に配置されたカバーシートと、を備えた吸収性物品である。前記カバーシートと前記吸収体とを厚み方向に圧縮して接合する接合溝が形成されており、前記接合溝は、前記吸収性物品の幅方向中心を幅方向に横断する横断溝であって、排泄口に対向する中央領域と、前記中央領域よりも後側に位置する後方領域とを区分けする横断溝を有している。前記中央領域の表面及び前記後方領域の表面には前記接合溝よりも浅いエンボスパターンが形成されており、前記中央領域のエンボスパターンと、前記後方領域のエンボスパターンとが異なる。
【選択図】図１【図１】
0005648144.tif 000002
【図２】
0005648144.tif 000003
【図３】
0005648144.tif 000004
【図４】
0005648144.tif 000005
【図５】
0005648144.tif 000006
【図６】
0005648144.tif 000007
【図７】
0005648144.tif 000008
【図８】
0005648144.tif 000009
【図９】
0005648144.tif 000010
【図１０】
0005648144.tif 000011
【図１１】
0005648144.tif 000012
【図１２】
0005648144.tif 000013